(57)【要約】【課題】服を着たまま温水浴と冷水浴と同様なことができ、空気加圧マッサージとマイクロバブル超音波マッサージ効果により美容、健康、治療が快適で効率よく同時に行えるようにする。また、車内や野外等などで電源のない場所でも処置が行えるようにする。【解決手段】空気加圧スーツ装置の中に軟質樹脂の循環式パット装備し、その中にマイクロバブルを混入した温水または冷水を循環させる。機械部をコンパクトで分離が可能にし、電圧の弱いポンプや保温保冷装置を使うことでバッテリー稼働を可能にする。【選択図】図１
2014171849.tif 000002
【特許請求の範囲】
【請求項１】
非通気性の素材で袋状のパットが形成され、全身あるいは部分的に身体を覆い、空気を送ることにより加圧・除圧を繰り返し行うことができ、同時にそのスーツの内側に非通水性の素材で袋状の循環パットを装備し、その中を湯水と冷水を循環させ、温熱と冷却を１装置で同時に、あるいは交互に行えることを特徴とする装置。
【請求項２】
循環パット内を循環させる湯水と冷水にマイクロバブルを発生させ、全身に超音波によるマッサージを行うことを特徴とする。
【請求項３】
循環パットの表面に無数の凹凸が設けられ、加圧にと水圧により体のツボをまんべんなく刺激することを特徴とする。
【請求項４】
２４時間、高温の温水を保温するタンクと冷水を保冷する冷却タンクを装備し、循環パット内に循環させるための温度調整機能を装備した、別の温水を保温するタンクと冷水を保冷する冷却タンクを装備し、使用時に瞬間的に設定温度に調整ができることを特徴とする。
【請求項５】
高濃度の酸素水原液を保持するタンクが装備され、飲用時に自動的に適量の酸素水原液が混入される装置が装備されたことを特徴とする。
【請求項６】
水道水を汲み置くタンクを装備し、浄水フィルターを通しきれいで安全な飲料水を自動的に作り、同時に保温と保冷タンクへ給水することを特徴とする。
【請求項７】
汲み置きタンクはキャスターとハンドルが装備され、給水時の移動が容易になることを特徴とする。
【請求項８】
電源の無いアウトドアーやスポーツの試合会場等でも使用可能なように、バッテリーによる稼働ができ、かつ移動中の自動車内で使用ができるようシガーライターからも電源が取れ、稼働ができることを特徴とする。
【発明の詳細な説明】
【技術分野】
【０００１】本発明は、空気加圧スーツで加圧・除圧を繰り返しながらマッサージを行いながら内側に装備された循環パットに、温水及び冷水を循環させることにより、温熱と冷却が全身あるいは部分的同時に行える美容、健康、治療装置に係る技術分野に属する。
【背景技術】
【０００２】高齢化にともない要介護原因の２番目にロコモティブシンドローム（運動器症候群）がある。その発症源になる足腰の痛みの原因に肥満が関係していることから肥満を解消し、運動器の改善に温熱療法や冷却療法、酸素カプセル、空気加圧によるマッサージやツボ刺激、マイクルバブル浴による超音波マッサージ等がよいといわれており、その効果が研究発表されている。このため、服を着たままそれら全てを同時に行えるような装置の開発が要望されている。【０００３】
【発明の開示】
【発明が解決しようとする課題】
【０００４】筋肉や腱を十分温めてからマッサージを行なわないと、筋肉や腱を痛めてしまうリスクがある。
また、温熱で効果の高い温泉、岩盤浴、足湯などの施設はお湯の入れ替えや雑菌やレジオネラ菌感染の問題があり、その対策には大きなコストがかかる。
また、怪我をした場合、冷却してから加圧することで痛みを軽減し、怪我の修復を早めることが知られているが、全身を効率よく冷やす装置は大型でコストがかる。
双方とも裸にならなくてはならないため、公衆浴場法の適用となり大掛かりな設備と施設が必要であった。
怪我の修復には十分な酸素が必要だが、怪我の幹部に効率よく酸素を送り込むには高圧酸素カプセルを使用しなくてはならず、装置は大型でコストがかかる。
加圧・除圧繰り返しながら温熱と冷却を交互に繰り返すことにより、血管や筋肉を丈夫にすることができるが、今までは裸になる広い設備を要するなどの問題があった。
深部まで温めるためには、超音波や高・低周波などを電気で発生させる装置が必要だったが、部分的にしかできず非効率的であった。【０００５】本装置が装備する空気加圧スーツで全身あるいは部分的に加圧・除圧の繰り返しでリンパ液や血液の循環を向上させ、ツボを刺激し、循環パットに温水を循環させ全身を温めたり、冷水を循環させ冷やしたりすることで脂肪を燃焼させるので美容、痩身、健康効果がある。
水には直接が人体に触れないため雑菌や感染の問題がなく、使用水も数リットルと少ないため低コストで環境にもやさしい。
服を脱がずに温度調整で、温泉浴程度から低温サウナくらいまで温めることができ、しかもサウナの後の水風呂くらいまで冷やすことができる。
このように水を使う場合、適正温度まで温めたり冷やしたりするのに時間を要するので利用者を待たせる必要があり事業効率が悪かったが、本装置は２４時間保温・冷却装置が装備されているので瞬時に温度調節ができ、利用者を待たせることがなく事業効率が上がる。
また、怪我をした場合、冷却してから加圧することで痛みを軽減し、怪我の修復を早めることができることが知られており、さらに、怪我の修復には十分な酸素が必要なので、それを飲用で効率よく摂取できる装置を装備している。
本装置は、服を着たまま循環パット入り空気加圧スーツを着るように装着し、自動制御により安全で効率的に行えるため、公衆浴場法適用外なので特別な設備がいらず、どこでも低コストで運営ができる。
しかも厚めの冬用の衣服くらいなので場所を取らないため、自動車や電車内等でも使用可能である。
また、循環する水の中にマイクルバブルを発生させ、その泡が弾けるときに発生する超音波により、マッサージ効果を上げ、深部まで温めたり冷やしたりを全身に効率よく行える。
さらに細いチューブを複数装備する温冷水循環パットの内部は、時間と共に汚れていき目詰りを起こし故障の原因になるが、マイクロバブルを常に発生させることでチューブ内を洗浄しながら稼働でき、メンテナンスが容易になる。簡単な装置でいつでもどこでも短時間で全てのことが同時に行えるようにすることで諸問題を解決ができる。【０００６】前述の課題を解決するため、本発明に係る美容健康器具は、特許請求の範囲の各請求項に記載の手段を採用する。【０００７】即ち、請求項１では、非通気性の素材で袋状のパットが形成され、全身あるいは部分的に身体を覆い、空気を送ることにより加圧・除圧を繰り返し行うことができ、同時にそのスーツの内側に非通水性の素材で袋状の循環パットを装備し、その中を湯水と冷水を循環させ、温熱と冷却を１装置で同時に、あるいは交互に行えることを特徴とする装置。【０００８】請求項２では、循環パット内を循環させる湯水と冷水にマイクロバブルを発生させ、全身に超音波によるマッサージを行うことを特徴とする。【０００９】請求項３では、循環パットの表面に無数の凹凸が設けられ、加圧にと水圧により体のツボをまんべんなく刺激することを特徴とする。【００１０】請求項４では、２４時間、高温の温水を保温するタンクと冷水を保冷する冷却タンクを装備し、さらに循環パットの中を循環させるため、温度調整機能を装備した別の温水を保温するタンクと冷水を保冷する冷却タンクを装備しているので、使用時に瞬間的に設定温度に調整ができる機能を特徴とする。【００１１】請求項５では、高濃度の酸素水原液を保持するタンクが装備され、飲用時に自動的に適量の酸素水原液が混入される機能を特徴とする。【００１２】請求項６では、水道水を汲み置くタンクを装備し、浄水フィルターを通しきれいで安全な飲料水を自動的に作り、同時に保温と保冷タンクへ給水することを特徴とする。【００１３】請求項７では、汲み置きタンクはキャスターとハンドルが装備され、水くみ時の移動が容易になることを特徴とする。【００１４】請求項８では、電源の無いアウトドアーやスポーツの試合会場等でも使用可能なように、バッテリーによる稼働ができ、かつ移動中の自動車内で使用ができるようシガーライターからも電源が取れ、稼働ができることを特徴とする。
【発明を実施するための最良の形態】
【００１５】以下、本発明に係る美容健康器具の最良の形態を図面に基づいて説明する。【００１６】図１〜図４は、本発明に係る美容健康器具を実施するための最良の形態の第１例を示すものである。
図１〜２は本発明の設置構成を示す面図である。
図２〜４は本発明使用状態を示す断面図である。【００１７】第１例は図１で示すようにコントローラー本体正面１、コントローラー本体側面２、空気加圧温度コントロールパネル１４、空気加圧スーツ頭２ａ，空気加圧スーツ腕２ｂ，空気加圧スーツ同２ｃ，空気加圧スーツ脚２ｄ，空気加圧スーツ用チューブ２ｅ，循環パット頭１ａ，循環パット腕１，循環パット同１ｃ，循環パット脚１ｄ，再び循環パットチューブ１ｅ，及び酸素水用コック１７による設置構成となっている。【００１８】図１が示すように空気加圧装置１１より空気加圧用チューブ２ｅを通して空気加圧スーツ頭２ａ，空気加圧スーツ腕２ｂ，空気加圧スーツ同２ｃ，空気加圧スーツ脚２ｄ，空気が送られ加圧・除圧でマッサージする。
図２が示すように循環パット用温水タンク３，循環パット用温調冷水タンク４，タンクボックス５，２４時間保温水タンク６，２４時間保冷水タンク７，給水タンク８，排水タンク９，酸素水リザーブタンク１０，空気加圧装置１１，循環パット用給水ポンプ１２，マイクロバブル発生装置１３，循環パット温度コントロールパネル１４，給水タンク用ポンプ１５，浄水フィルター１６，酸素水用コック１７，循環パット１８，循環パット用チューブ１９，空気加圧スーツ２０，空気加圧スーツ用ポンプ２１による設置構成となっている。
給水タンク８に水道水を汲み、コントローラー本体正面１に設置し給水タンク用ポンプ１５に接続する。給水タンク８から給水タンク用ポンプ１５に水を供給し、そこから浄水フィルター１６に供給され清浄された水が、２４時間保温水タンク６と２４時間保冷水タンク７に供給される。２４時間保温水タンク６から循環パット用温水タンク３に、２４時間保冷水タンク７から循環パット用温調冷水タンク４にそれぞれ温水と冷水が供給される。循環パット用給水ポンプ１２で循環パット用温水タンク３、あるいは循環パット用温調冷水タンク４の水にマイクロバブル発生装置１３を通し、コントローラー本体正面１から循環パットチューブ１ｅを通し、マイクロバブルが混入された温水、あるいは冷水が送られ循環パット頭ａ，循環パット腕１ｂ，循環パット同１ｃ，循環パット脚１ｄ，再び循環パットチューブ１ｅを通して循環パット用温水タンク３、循環パット用温調冷水タンク４にそれぞれ温水と冷水が戻される。【００１９】図３で示すようにコントローラー本体正面１の内部に設置された温調タンクボックス５は、コンパクトで取り外しが可能で野外や自動車内等での使用が容易になる。
また、機械部の故障の際はこれと加圧マッサージ装置１１のみを郵送で送りメンテナンスが容易にできることを特徴とする。【００２０】循環パット頭１ａ，循環パット腕１ｂ，循環パット同１ｃ，循環パット脚１ｄ，はそれぞれ空気加圧スーツ頭２ａ，空気加圧スーツ腕２ｂ，空気加圧スーツ同２ｃ，空気加圧スーツ脚２ｄ，から脱着ができ水で洗浄ができる。【００２１】給水タンク８が空になるとアラームで知らせ、水場まで往復がキャスターとハンドル装備で重たい水を容易に運搬できることを特徴とする。
【符号の説明】
【００２２】コントローラー本体正面１
コントローラー本体側面２
循環パット用温調温水タンク３
循環パット用温調冷水タンク４
温調タンクボックス５
２４時間保温水タンク６
２４時間保冷水タンク７
給水タンク８
排水タンク９
酸素水リザーブタンク１０
空気加圧装置１１
循環パット用ポンプ１２
マイクロバブル発生装置１３
空気加圧温度コントロールパネル１４
給水タンク用ポンプ１５
浄水フィルター１６
酸素水用コック１７
循環パット１８
循環パット用チューブ１９
空気加圧スーツ２０
空気加圧スーツ用ポンプ２１
ハンドル２２
キャスター２３
循環パット頭１ａ
循環パット腕１ｂ
循環パット同１ｃ
循環パット脚１ｄ
循環パット用チューブ１ｅ
空気加圧スーツ頭２ａ
空気加圧スーツ腕２ｂ
空気加圧スーツ同２ｃ
空気加圧スーツ脚２ｄ
空気加圧用チューブ２ｅ
【図１】
2014171849.tif 000003
【図２】
2014171849.tif 000004
【図３】
2014171849.tif 000005
【図４】
2014171849.tif 000006
【手続補正書】
【提出日】平成25年5月16日(2013.5.16)
【手続補正１】
【補正対象書類名】明細書
【補正対象項目名】００１６
【補正方法】変更
【補正の内容】
【００１６】
【図面の簡単な説明】
【図１】本発明の全体の設置構成を表す図
【図２】コントローラー本体の断面を表す図
【図３】コントローラー本体の使用状態を表す図
【図４】コントローラー本体正面の断面を表す図